(57)【特許請求の範囲】
【請求項１】
筒状の銃本体２と、
前記銃本体２の軸方向の略中間部に区画して設けられ、前記銃本体２の内部の基端側に気体室４、先端側に液体室５を形成した開閉バルブ３と、
前記液体室５に設けられ、該液体室５の液量を表示する液量表示窓１０と、
前記銃本体２とは別体であり、前記気体室４と配管１４ｃを介して接続された高圧空気供給源１３と、
前記銃本体２とは別体であり、高圧空気供給源１３とレギュレータ１５を介して接続されるとともに、前記液体室５と配管１４ｄを介して接続された消火液貯溜タンク１６と、
前記銃本体２の前部に前記液体室５と連通して設けられ、前記開閉バルブ３が開放したとき、前記気体室４の圧力によって液体室５の消火液を噴射する放射口６と、
前記銃本体２に操作者が操作可能に設けられ、前記開閉バルブ３を開放させる引き金１２とからなり、
前記引き金１２の操作により、開閉バルブ３を開放して前記液体室５の消火液を一度噴射させると、前記消火液貯溜タンク１６内の消火液が前記液体室５に供給されることを特徴とする可搬式消火銃。
【発明の詳細な説明】
【０００１】
【技術分野】
この発明は、火災発生時に消防車に先行して初期消火を行なう可搬式消火銃に関する。
【０００２】
【背景技術】
可搬式の消火銃は、火災現場に迅速に到着できること、少量の消火液でありながら、消火液でありながら、消火液を高圧空気によって噴射することにより、発射された微細な水滴は、火元の奥深くまで侵入し、瞬時に消火できるという特徴があることから注目されている。
【０００３】
この可搬式消火銃は、筒状の消火銃本体の前部に消火液を貯溜する液体室が設けられ、後部に高圧空気を貯溜する気体室が設けられ、両室は開閉バルブによって仕切られている。消火銃本体の前部には放射状の切込み部を有するゴムからなるパッキンが装着されている。
【０００４】
このパッキンは、弾性復元作用によって切込み部が閉弁状態にあり、消火液を液体室に貯溜しているが、開閉バルブを開放し、気体室の高圧空気によって液体室に圧力が加わった時、その圧力によって弾性復元作用に抗して切込み部を開弁し、液体室の消火液を噴出させるようになっている。液体室内の消火液がすべて放出されると、消火液タンクから消火液が液体室に供給され、このとき、パッキンは弾性復元作用によって閉弁して消火液の漏れを防止している。
【０００５】
【発明が解決しようとする課題】
ところで、可搬式消火銃の液体室内の消火液が一度噴射されると、次の噴射の準備として消火液タンクから消火液が液体室に充填するが、消火液を充填するとき、使用者の感に頼っており、液体室が満杯になったか否かは銃本体の重量によって判断していた。
【０００６】
しかしながら、可搬式消火銃は、小型のものから、大型のものまで多種類で、重量がそれぞれ異なるため、手に持っただけでは液体室内の消火液の液量を把握することは難しく、実際の消火にあたって消火液が満杯のつもりでも、液体室内の消火液が不足して十分な消火ができない場合も生じる。
【０００７】
この発明は、前記事情に着目してなされたもので、その目的とするところは、液体室の消火液を放射口から一度噴射して空になっても、消火液貯溜タンクから液体室内に消火液が供給され、繰り返し放射でき、しかも液体室の消火液の液量が正確に把握でき、緊急時に対応できる可搬式消火銃を提供することにある。
【０００８】
【課題を解決するための手段】
この発明は、前記目的を達成するために、請求項１は、筒状の銃本体２と、前記銃本体２の軸方向の略中間部に区画して設けられ、前記銃本体２の内部の基端側に気体室４、先端側に液体室５を形成した開閉バルブ３と、前記液体室５に設けられ、該液体室５の液量を表示する液量表示窓１０と、前記銃本体２とは別体であり、前記気体室４と配管１４ｃを介して接続された高圧空気供給源１３と、前記銃本体２とは別体であり、高圧空気供給源１３とレギュレータ１５を介して接続されるとともに、前記液体室５と配管１４ｄを介して接続された消火液貯溜タンク１６と、前記銃本体２の前部に前記液体室５と連通して設けられ、前記開閉バルブ３が開放してとき、前記気体室４の圧力によって液体室５の消火液を噴射する放射口６と、前記銃本体２に操作者が操作可能に設けられ、前記開閉バルブ３を開放させる引き金１２とからなり、前記引き金１２の操作により、開閉バルブ３を開放して前記液体室５の消火液を一度噴射させると、前記消火液貯溜タンク１６内の消火液が前記液体室５に供給されることを特徴とする可搬式消火銃にある。
【０００９】
前記構成によれば、液体室５の消火液を放射口６から一度噴射すると、液体室５内の消火液は空となり、開閉バルブ３を閉じると共に、消火液貯溜タンク１６内の消火液を液体室５に充填する。このとき、消火液貯溜タンク１６には高圧空気供給源１３から圧力が加わっているため、消火液の充填が瞬時に行なわれ、再び噴射する準備が完了する。さらに、銃本体２の液体室５に充填されている消火液の液量が外部から一目で分かるため、液体室５への消火液の充填量を調整でき、消火活動時の消火液の不足を未然に防止することができる。
【００１０】
【発明の実施の形態】
以下、この発明の実施の形態を図面に基づいて説明する。図１及び図２は第１の実施形態を示し、図１は可搬式消火銃の縦断側面図、図２は作用を説明するための可搬式消火銃の縦断側面図である。
【００１１】
可搬式消火銃１の筒状の銃本体２は開閉バルブ３によって基端側の気体室４と先端側の液体室５に区画されている。液体室５の先端側にはパッキンからなる放射口６が設けられている。銃本体２の後端部には気体室４と連通する気体充填ポート７が設けられ、銃本体２の上部には液体室５と連通する液体充填ポート８が設けられている。
【００１２】
さらに、銃本体２の上部には液量表示タンク９が液体室５と連通した状態に設けられている。この液量表示タンク９の側壁には透明ガラス等からなる液量表示窓１０が縦方向の全体に亘って設けられ、この液量表示窓１０には指示目盛１１が設けられている。なお、９ａは空気抜き孔、１２は引き金である。
【００１３】
前記可搬式消火銃１と別に高圧空気供給源１３が設けられ、この高圧空気供給源１３は配管１４ａを介してレギュレータ１５に接続されている。レギュレータ１５は配管１４ｂを介して消火液貯溜タンク１６に接続されているとともに、配管１４ｃを介して気体充填ポート７に接続されている。消火液貯溜タンク１６は配管１４ｄを介して液体充填ポート８に接続されている。
【００１４】
次に、前記実施形態の作用について説明する。まず、銃本体２の液体室５に消火液を充填する場合には、高圧空気供給源１３からレギュレータ１５を介して設定圧力の空気圧が消火液貯溜タンク１６に加わり、消火液貯溜タンク１６内の消火液Ｗが液体充填ポート８を介して液体室５に充填される。
【００１５】
消火時においては、放射口６を火元に向け、引き金１２の操作により、開閉バルブ３を開放すると、気体室４内の高圧空気が液体室５内の消火液Ｗを放射口６から一挙に噴射させ、消火を行なうことができる。
【００１６】
一度噴射すると、液体室５内の消火液Ｗは空となり、開閉バルブ３を閉じると共に、消火液貯溜タンク１６内の消火液Ｗは前述と同様な手段によって液体室５に一挙に流れ込んで液体室５が消火液Ｗで一杯となる。このとき、消火液貯溜タンク１６には高圧空気供給源１３から圧力が加わっているため、消火液Ｗの充填が瞬時に行なわれ、再び噴射する準備が完了する。
【００１７】
また、液体室５内の消火液Ｗの液量は液量表示タンク９に設けられた液量表示窓１０に表示される。また、液量表示窓１０には指示目盛１１が付されているため、液量を正確に把握できる。
【００１８】
なお、前記実施形態においては、液量表示タンク９を銃本体２の上部に設けたが、銃本体２の側部に設けてもよく、このように液量表示タンク９を銃本体２の側部に設けることにより、銃本体２が水平状態でも液体室５内の液量を把握できる。
【００１９】
【発明の効果】
以上説明したように、この発明によれば、開閉バルブを開放して気体室の圧力によって液体室の消火液を放射口から一度噴射すると、液体室内の消火液は空となり、開閉バルブを閉じると共に、消火液貯溜タンク内の消火液を液体室に充填する。このとき、消火液貯溜タンクには高圧空気供給源から圧力が加わっているため、消火液の充填が瞬時に行なわれ、再び噴射する準備が完了するという効果がある。しかも、液量表示窓を設けることにより、外部から容易に液体室の消火液の液量を把握でき、消火時における消火液不足を未然に防止できるため緊急時に対応できるという効果がある。
【図面の簡単な説明】
【図１】この発明の第１の実施形態の可搬式消火銃の縦断側面図。
【図２】同実施形態の作用を説明するための可搬式消火銃の縦断側面図。
【符号の説明】
２…銃本体、３…開閉バルブ、４…気体室、５…液体室、９…液量表示タンク、１０…液量表示窓、１２…引き金、１３…高圧空気供給源、１６…消火液貯溜タンク
【図１】
0004209969.tif 000002
【図２】
0004209969.tif 000003